(57)【要約】  少なくとも１本の撚り線を接続するための接触子スリーブであって、撚り線に対して平行に進む中心線（１４）に沿って延びる、少なくとも１本の撚り線の外皮剥離端部を挿入するための受容領域と、それぞれ互いに向き合わされて折り曲げた状態で外皮剥離端部を締め付ける二つの圧着片（１５ａ、１５ｂ）とを具備しており、二つの圧着片（１５ａ、１５ｂ）は両圧着片（１５ａ、１５ｂ）上で中心線に向かって矢印状に延びる複数の溝（１３）を有しているものにおいて、複数の溝（１３）は連続的に減少する傾きで湾曲してそれぞれ中心線（１４）を起点として外方に延びることを特徴とする。
2019515433.tif 000002
【特許請求の範囲】
【請求項１】
少なくとも１本の撚り線を接続するための接触子スリーブであって、
前記撚り線に対して平行な中心線（１４）に沿って延びて、少なくとも１本の撚り線の外皮剥離端部を挿入するための受容領域と、それぞれ互いに向き合わされて折り曲げた状態で前記外皮剥離端部を締め付ける二つの圧着片（１５ａ、１５ｂ）と、を備え、該二つの圧着片（１５ａ、１５ｂ）は該二つの圧着片上で中心線に向かって矢印状に延びる複数の溝（１３）を有する接触子スリーブにおいて、
前記複数の溝（１３）は、それぞれ中心線を起点として、連続的に減少する傾きで湾曲しながら外方に延びることを特徴とする接触子スリーブ。
【請求項２】
前記複数の溝（１３）は、前記中心線（１４）を起点として、前記二つの圧着片（１５ａ、１５ｂ）の端部から所定の距離まで前記二つの圧着片（１５ａ、１５ｂ）上を延びることを特徴とする、請求項１に記載の接触子スリーブ。
【請求項３】
前記中心線（１４）上での前記複数の溝（１３）の接線の傾きは、前記中心線（１４）に対して凡そ８３±２°の角度（αS）を有し、前記複数の溝（１３）の端部において８８±１°の角度（αE）まで減少することを特徴とする、請求項２に記載の接触子スリーブ。
【請求項４】
前記複数の溝（１３）は前記中心線（１４）に対して対称的に延びることを特徴とする、請求項１〜３の何れか一項に記載の接触子スリーブ。
【請求項５】
前記複数の溝（１３）は、前記撚り線の方に向けられた前記受容領域及び前記二つの圧着片（１５ａ、１５ｂ）の側に配置された溝状のへこみであることを特徴とする、請求項１〜４の何れか一項に記載の接触子スリーブ。
【発明の詳細な説明】
【技術分野】
【０００１】
本発明は、請求項１の前提部分の特徴を有する、少なくとも１本の撚り線を接続するための接触子スリーブに関する。
【背景技術】
【０００２】
このような圧着接触子は、例えば特許文献１により開示されている。更に特許文献２による圧着接触子が知られている。
【０００３】
電気接続端子若しくは接続端子は、例えば特許文献３、特許文献４又は特許文献５によっても開示されている。
【０００４】
特に、特許文献１により、接触すべきケーブル端に対する固定具として用いられる、矢印形に延びる複数の溝を有する電気圧着接触子が開示されている。
【先行技術文献】
【特許文献】
【０００５】
【特許文献１】独国特許出願公開第１０２０１３２０３７９６（Ａ１）号明細書
【特許文献２】国際公開第２００９／１１９５１４（Ａ１）号
【特許文献３】独国特許第３６３４０９９（Ｃ２）号明細書
【特許文献４】特開２００３‐２４９２８４号公報
【特許文献５】国際公開第２００９／０９６５９０（Ａ１）号
【発明の概要】
【０００６】
本発明による少なくとも１本の撚り線を接続するための接触子スリーブであって、二つの圧着片上で中心線に向かって矢印状に延びる複数の溝を具備しており、連続的に減少する傾きで湾曲して中心線を起点として外方に延びる複数の溝は、撚り線を特別固く、且つ気密に接触させるという利点を有する。翼状に湾曲して延びる溝によって、撚り線は湾曲していない溝におけるよりもはるかに良く圧縮される。このことは出願人の詳細な調査によって明らかとなっている。
【０００７】
好ましくは、複数の溝は中心線を起点として、圧着片上を圧着片の端部から所定の距離まで、又は更に圧着片の端部そのものまで延びる。
【０００８】
複数の溝は、いわば鳥の翼のように翼形に延びている。溝との接線の傾きは、有利な構成により中心線上では中心線に対して約８３±２°の角度を有しており、この接線の傾きは溝の縁部に向かって減少して中心線と約８８±１°の最終角度をなす。それにより、圧着中に圧着片が短い距離しか動かない中心線の領域では、溝の傾きが、圧着作業中により長い距離動く圧着片の外縁部よりも大きくなっている。
【０００９】
純粋に原理的に、複数の溝は中心線に対して非対称的に形成してもよい。即ち、一方の側の溝は他方の側の溝と別様に延びてもよい。特に好適な構成では、複数の溝が中心線に対して対称的に延びるようにしている。
【００１０】
複数の溝の形成は種々異なるやり方で行われてよい。有利な実施形態は、撚り線の方に向いている受容領域の側及び二つの圧着片の側に配置された溝状のへこみである。
【００１１】
以下に、本発明の実施例を図面で示し、詳しく説明する。
【図面の簡単な説明】
【００１２】
【図１】先行技術による圧着片を有する接触子スリーブを示す。
【図２】本発明による接触子圧着領域の平面図を示す。
【発明を実施するための形態】
【００１３】
図１に示す接触子スリーブは、圧着片１０ａで撚り線１０ｂを圧縮するのに用いる接触子圧着領域１０と、接触子圧着領域１０を撚り線１２の絶縁体外皮に固定するための絶縁体圧着領域１１とを有している。接触子圧着領域１０は受容面１２ａを有する。受容面１２ａは圧着片１０ａと共に、それ自体知られているように撚り線１０ｂの圧縮に用いられる。接触子圧着領域１０に続いて、撚り線１２の絶縁体外皮を囲んで把持する絶縁体圧着領域１１が配置されている。絶縁体圧着領域１１は撚り線１２を包囲して締め付け、それにより撚り線１２の固定とその張力緩和に用いられる。
【００１４】
図２に示す、二つの圧着片１５ａ、１５ｂを有する接触子圧着領域１５の平面図は、中心線１４に対して対称的に配置された複数の溝１３を含んでおり、これらの溝１３は鳥の翼のように湾曲して翼形に延びている。この場合に湾曲は、溝の接線が中心線１４の領域において中心線１４に対して角度αSをなすように形成されている。傾きは圧着片１５ａ、１５ｂの外縁部に向かって減少して、外側領域における溝の傾きは、中心線１４に対して角度αEをなしている。
【００１５】
出願人の調査の結果、好ましくは、角度αSは約８３±２°であるのに対して、角度αEは約８８±１°であることが分かっている。
【００１６】
このように中心線１４から圧着片１５ａ、１５ｂの縁部に向かって外方に連続的に減少する曲率によって湾曲して延びる溝の形状により、圧着片１５ａ、１５ｂ内で撚り線の最適な圧縮が達成される。その際に湾曲して延びる溝の配置は、圧着中に中心線１４の領域においては、二つの圧着片１５ａ、１５ｂが短い距離しか動かないのに対し、圧着片１５ａ、１５ｂの外側領域では大きい距離を動くという事情を考慮している。この中心線１４の領域における小さい距離は溝のより大きい傾きが考慮されるのに対し、圧着中に圧着片１５ａ、１５ｂの外側領域における大きい距離は溝のより小さい傾きが考慮される。これらの湾曲した溝を援用する圧着により、撚り線の最適な接触、特に直線状に延びるに溝よっては得られない撚り線の気密接触が可能になる。
【００１７】
湾曲して延びる複数の溝は、好ましくは中心線１４に対して対称的に形成されている。但し、代替的な実施形態においてを非対称的に形成すること、即ち一方の圧着片を他方の圧着片とは異なる傾きで設けることもできる。複数の溝は、例えば撚り線に向かって突出して撚り線を圧迫するエンボシング、条及び同種のものである。
【００１８】
複数の溝は、好ましくは中心線１４から始まり、圧着片上１５ａ、１５ｂを圧着片の端部から所定の距離まで、又は更に圧着片の端部そのものまで延びている。
【図１】
2019515433.tif 000003
【図２】
2019515433.tif 000004
【国際調査報告】
2019515433.tif 000005
2019515433.tif 000006
2019515433.tif 000007
2019515433.tif 000008